(57)【要約】      （修正有）【課題】皮膚の血行を良くして、皮膚表層の光沢を改善し、皮膚を刺激したり傷つける心配が無い皮膚研磨機を提供する。【解決手段】表面１２に複数組の短毛ブラシ部２が植設された研磨部１１を有し、短毛ブラシ部２の先端が研磨端となっている。短毛ブラシ部２の研磨部表面１２から突出した部分の長さは２ｍｍ〜６ｍｍとするのが望ましい。研磨部１１をハンドルに取り付け、該ハンドル内に研磨部１１を回転させるモーターを設置しても良い。【選択図】図１
0003144249.tif 000002
【実用新案登録請求の範囲】
【請求項１】
表面に複数組の短毛ブラシ部が植設された研磨部を有し、前記短毛ブラシ部の先端が研磨端となっていることを特徴とする皮膚研磨機。
【請求項２】
前記短毛ブラシ部の前記研磨部表面から突出した部分の長さが２ｍｍ〜６ｍｍである請求項１に記載の皮膚研磨機。
【請求項３】
前記研磨部をハンドル又は支持座体に結合してある請求項１又は２に記載の皮膚研磨機。
【請求項４】
前記研磨部をハンドルに取り付け、該ハンドル内に前記研磨部を回転させるモーターを設置してある請求項１又は２に記載の皮膚研磨機。
【請求項５】
前記短毛ブラシ部が動物毛又は化学合成毛である請求項１〜４のいずれかに記載の皮膚研磨機。
【考案の詳細な説明】
【技術分野】
【０００１】
本考案は、皮膚のケアを行なう皮膚研磨機に関する。
【背景技術】
【０００２】
皮膚をケアするために、電子穿孔等により薬剤を皮膚内部に注入したり、研磨機で皮膚表面を磨く方法が行われている。  
従来、研磨ヘッドにダイヤモンド粉を電着して成る皮膚研磨ヘッド装置を使用して皮膚を研磨する技術が知られている（特許文献１）。  
しかし、この方法では、超音波等を利用して細胞活性物質を皮膚内に注入するので、高価な装置が必要で、スキンケアの専門家でなければ施術することができなかった。また、表面にダイヤモンド粉を電着した研磨ヘッドで皮膚を研磨すると、皮膚を傷つけやすいだけでなく、この研磨ヘッドを別人に使用すると病原菌の感染を引き起こす心配もある。
【０００３】
【特許文献１】台湾実用新案第Ｍ２７２４３７号明細書
【考案の開示】
【考案が解決しようとする課題】
【０００４】
本考案が解決しようとする課題は、皮膚の血行を良くして、皮膚表層の光沢を改善し、皮膚を刺激したり傷つける心配が無い皮膚研磨機を提供することにある。
【課題を解決するための手段】
【０００５】
本考案の皮膚研磨機は、表面に複数組の短毛ブラシ部が植設された研磨部を有し、前記短毛ブラシ部の先端が研磨端となっている。  
前記短毛ブラシ部の前記研磨部表面から突出した部分の長さは２ｍｍ〜６ｍｍとするのが望ましい。  
前記研磨部はハンドル又は支持座体に結合すると良い。  
前記研磨部をハンドルに取り付け、該ハンドル内に前記研磨部を回転させるモーターを設置することがある。  
前記短毛ブラシ部は動物毛であっても化学合成毛であっても良い。
【考案の効果】
【０００６】
請求項１に係る考案によれば、比較的柔らかい短毛ブラシ部で皮膚を研磨するので、皮膚の血行を良くしてマッサージ効果が高く、しかも、皮膚を傷つけるおそれもない。  
請求項２に係る考案によれば、短毛ブラシ部の硬さを適度に維持できる。  
請求項３に係る考案によれば、摩擦しようとする部位に適したハンドル又は支持座体に研磨部を取り付けることができ、操作しやすい。  
請求項４に係る考案によれば、皮膚を効率良く研磨することが可能で、いっそう操作が簡単となる。
【考案を実施するための最良の形態】
【０００７】
以下、本考案の実施例を図面に基づいて詳細に説明する。  
図１及び図２は、本考案の実施例１を示す。  
図１に示すように、本考案の皮膚研磨機１は研磨部１１を有する。研磨部１１の表面１２には複数組の短毛ブラシ部２が植設されている。  
研磨部１１の背面には柄部１３が取り付けられている。柄部１３が長い場合は、ハンドルとして直接握って操作することができ、柄部１３が短い場合は、別のハンドルに対する結合部として利用できる。
【０００８】
短毛ブラシ部２は、豚毛、羊毛等の動物毛、またはナイロン毛等の化学合成毛であり、その先端が研磨端となっている。  
また、図２に示すように、短毛ブラシ部２の研磨部１１の表面１２から突出した部分の長さＬを２ｍｍ〜６ｍｍとするのが好ましい。短毛ブラシ部２の突出部分の長さＬを２ｍｍ〜６ｍｍにすると、短毛ブラシ部２が皮膚を研磨する時の硬さを適切に維持することができ、皮膚を刺激しすぎたり、傷つけることがない。
【０００９】
短毛ブラシ部２で皮膚を研磨すると、皮膚表面の角質が徐々に取り除かれ、皮膚の血行を促進する。  
また、この皮膚研磨機１は構造が簡単で低価格なため、個人が操作して日常的に皮膚のケアを行うことが可能で、短毛ブラシ部２が消耗したら惜しげなく捨てることができ、しかも、皮膚を傷つけないので、病原菌の感染を引き起こす心配も無い。
【００１０】
図３は、本考案の実施例２を示す。  
本実施例では、研磨部１１の背面に設けた柄部１３を結合部としてハンドル３に結合してある。  
ハンドル３の内部にはモーター（例えば、遊星歯車モーター）３１が設置され、このモーター３１を駆動して研磨部１１を高速回転させることができる。  
研磨部１１を回転させながら、短毛ブラシ部２の先端を軽く皮膚表面に接触させることにより、皮膚を楽に、且つ確実に高速研磨することができる。
【００１１】
図４は、本考案の実施例３を示す。  
硬質材料を素材とする研磨部４は把持部を兼ねており、研磨部４を直接手で握って、短毛ブラシ部２の先端を皮膚表面に接触させ、研磨することができる。
【００１２】
図５は、本考案の実施例４を示す。  
把持部を兼ねる研磨部５はゴム、軟質プラスチック等の弾性材料より成る。  
使用者が研磨部５を握って身体に短毛ブラシ部２を接触させると、研磨部５は身体形状に合わせて変形するので、膝、肘、脇等の複雑な形状の部位であっても、確実に研磨することができる。
【００１３】
図６は、本考案の実施例５を示す。  
広い面積を有する安定した支持座体６に、研磨部１１を嵌合或いは螺合により着脱自在に取り付けてある。従って、短毛ブラシ部２が磨耗した時、研磨部１１と共に新たなものに交換することができる。
【００１４】
図７は、本考案の実施例６を示す。  
本実施例においては、研磨部７を平板状とし、研磨部７の広面積の側面に短毛ブラシ部２を設けてある。また、研磨部７の基端に突設した結合部７１を、棒状のハンドル７２の一端面に埋め込んで結合し、使用しやすくしてある。
【００１５】
図８は、本考案の実施例７を示す。  
研磨部８を細長く形成してハンドル状とし、その先端面に複数組の短毛ブラシ部２を設けてある。  
この皮膚研磨機は、身体の非常に狭い部位を研磨するのに便利である。
【図面の簡単な説明】
【００１６】
【図１】実施例１を示し、（ア）は皮膚研磨機の平面図、（イ）は皮膚研磨機の側面図である。
【図２】実施例１に係る研磨部の側面図である。
【図３】実施例２を示す皮膚研磨機の側面図である。
【図４】実施例３を示す皮膚研磨機の斜視図である。
【図５】実施例４を示す皮膚研磨機の斜視図である。
【図６】実施例５を示す皮膚研磨機の斜視図である。
【図７】実施例６を示す皮膚研磨機の斜視図である。
【図８】実施例７を示す皮膚研磨機の側面図である。
【符号の説明】
【００１７】
１  皮膚研磨機
１１，４，５，７，８  研磨部
１２  表面
１３  柄部
２  短毛ブラシ部
３，７２  ハンドル
３１  モーター
６  支持座体
７１  結合部
【図１】
0003144249.tif 000003
【図２】
0003144249.tif 000004
【図３】
0003144249.tif 000005
【図４】
0003144249.tif 000006
【図５】
0003144249.tif 000007
【図６】
0003144249.tif 000008
【図７】
0003144249.tif 000009
【図８】
0003144249.tif 000010